【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
実質的に耐水性のインクジェット記録可能基材コーディング組成物であって、以下：
ａ．水性ポリウレタン分散物；
ｂ．カチオン窒素含有ポリマー性染料固定化合物；および、
ｃ．カチオンアクリルポリマー
を含み、
７以下のｐＨを有し、該カチオン窒素含有ポリマー性染料固定化合物が、塩化ポリジメチルジアリルアンモニウムである、インクジェット記録可能基材コーティング組成物。
【請求項２】
前記ポリウレタン分散物が、水に分散可能なアニオンポリマー、カチオンポリウレタンおよび非イオンポリウレタンから選択される、請求項１に記載のコーティング組成物。
【請求項３】
前記ポリウレタン分散物が、ポリイソシアネートおよびポリオールを含む、請求項１に記載のコーティング組成物。
【請求項４】
前記ポリウレタン分散物が、１重量％〜７０重量％未満のポリウレタンを含む、請求項１に記載のコーティング組成物。
【請求項５】
前記カチオン窒素含有ポリマー性染料固定化合物が、７以下のｐＨを有する、請求項１に記載のコーティング組成物。
【請求項６】
前記カチオン窒素含有ポリマー性染料固定化合物が、５重量％〜５０重量％以下の窒素含有ポリマーを含む水性混合物を含む、請求項１に記載のコーティング組成物。
【請求項７】
前記カチオンアクリルポリマーが、ポリアクリレート、ポリメタクリレート、ポリアクリロニトリルならびにアクリロニトリル、アクリル酸、アクリルアミドおよびそれらの混合物から選択されるモノマー型を有するポリマーから選択される、請求項１に記載のコーティング組成物。
【請求項８】
前記カチオンアクリルポリマーは、１５００〜８１５０の数平均分子量を有する、請求項１に記載のコーティング組成物。
【請求項９】
前記カチオンアクリルポリマーは、２９００〜７１２５の数平均分子量を有する、請求項８に記載のコーティング組成物。
【請求項１０】
前記組成物が、前記コーティング組成物の総重量に基づいて、２０〜７５重量％の前記水性ポリウレタン分散物、５〜７５重量％の前記カチオン窒素含有ポリマー性染料固定化合物、および１〜７５重量％の前記アクリルポリマーを含む、請求項１に記載のコーティング組成物。
【請求項１１】
窒素含有ポリマー性染料固定化合物を水性ポリウレタン分散物およびカチオンアクリルポリマーと混合し、７以下のｐＨを有する実質的に均質な混合物を生産する工程を包含し、該窒素含有ポリマー性染料固定化合物が、塩化ポリジメチルジアリルアンモニウムである、実質的に耐水性のインクジェット記録可能基材コーティング組成物を調製する方法。
【請求項１２】
前記ポリウレタン分散物が、水に分散可能なアニオンポリマー、カチオンポリウレタンおよび非イオンポリウレタンから選択される、請求項１１に記載のコーティング組成物。
【請求項１３】
前記ポリウレタン分散物が、ポリイソシアネートおよびポリオールを含む、請求項１１に記載のコーティング組成物。
【請求項１４】
前記ポリウレタン分散物が、１重量％〜７０重量％未満のポリウレタンを含む、請求項１１に記載のコーティング組成物。
【請求項１５】
前記カチオン窒素含有ポリマー性染料固定化合物が、７以下のｐＨを有する、請求項１１に記載のコーティング組成物。
【請求項１６】
前記カチオン窒素含有ポリマー性染料固定化合物が、５重量％〜５０重量％以下の窒素含有ポリマーを含む水性混合物を含む、請求項１１に記載のコーティング組成物。
【請求項１７】
前記カチオンアクリルポリマーは、ポリアクリレート、ポリメタクリレート、ポリアクリロニトリルならびにアクリロニトリル、アクリル酸、アクリルアミドおよびそれらの混合物から選択されるモノマー型を有するポリマーから選択される、請求項１１に記載のコーティング組成物。
【請求項１８】
前記カチオンアクリルポリマーは、１５００〜８１５０の数平均分子量を有する、請求項１１に記載のコーティング組成物。
【請求項１９】
前記カチオンアクリルポリマーは、２９００〜７１２５の数平均分子量を有する、請求項１８に記載のコーティング組成物。
【請求項２０】
前記組成物が、前記コーティング組成物の総重量に基づいて、２０〜７５重量％の前記水性ポリウレタン分散物、５〜７５重量％の前記カチオン窒素含有ポリマー性染料固定化合物、および１〜７５重量％の前記アクリルポリマーを含む、請求項１１に記載のコーティング組成物。
【請求項２１】
コーティング組成物により少なくとも部分的にコーティングされた実質的に耐水性のインクジェット記録可能基材であって、該コーティング組成物が、以下：
ａ．水性ポリウレタン分散物；
ｂ．カチオン窒素含有ポリマー性染料固定化合物の水溶液であって、該カチオン窒素含有ポリマー性染料固定化合物が、塩化ポリジメチルジアリルアンモニウムである、水溶液；および
ｃ．カチオンアクリルポリマー、
を含み、該コーティング組成物が７以下のｐＨを有する、インクジェット記録可能基材。
【請求項２２】
前記ポリウレタン分散物が、水に分散可能なアニオンポリマー、カチオンポリウレタンおよび非イオンポリウレタンから選択される、請求項２１に記載のコーティング組成物。
【請求項２３】
前記カチオンアクリルポリマーが、ポリアクリレート、ポリメタクリレート、ポリアクリロニトリルならびにアクリロニトリル、アクリル酸、アクリルアミドおよびそれらの混合物から選択されるモノマー型を有するポリマーから選択される、請求項２１に記載のコーティング組成物。
【請求項２４】
前記組成物が、前記コーティング組成物の総重量に基づいて、２０〜７５重量％の前記水性ポリウレタン分散物、５〜７５重量％の前記カチオン窒素含有ポリマー性染料固定化合物、および１〜７５重量％の前記アクリルポリマーを含む、請求項２１に記載のコーティング組成物。
【請求項２５】
前記基材が、セルロースベースの紙を含む、請求項２１に記載のインクジェット記録可能基材。
【請求項２６】
前記基材が、微孔性の材料を含む、請求項２１に記載のインクジェット記録可能基材。
【請求項２７】
前記基材が、ポリオレフィンを含むマトリクス；シリカ質充填剤；および多孔性構造物を含む、請求項２１に記載のインクジェット記録可能基材。
【請求項２８】
前記基材が、該基材の体積の少なくとも３５％の多孔性を有する、請求項２７に記載のインクジェット記録可能基材。
【請求項２９】
前記ポリオレフィンが、ポリエチレン、ポリプロピレンおよびそれらの混合物から選択される、請求項２７に記載のインクジェット記録可能基材。
【請求項３０】
前記ポリエチレンが、少なくとも１０デシリットル／グラムの固有粘度を有する高分子量の直鎖状ポリエチレンを含み、前記ポリプロピレンが、少なくとも５デシリットル／グラムの固有粘度を有する高分子量の直鎖状ポリプロピレンを含む、請求項２９に記載のインクジェット記録可能基材。
【請求項３１】
前記シリカ質充填剤が、シリカ、雲母、モンモリロナイト、カオリナイト、アスベスト、タルク、珪藻土、バーミキュライト、天然合成ゼオライト、セメント、珪酸カルシウム、珪酸アルミニウム、珪酸ナトリウムアルミニウム、ポリ珪酸アルミニウム、アルミナシリカゲル、ガラス粒子およびそれらの混合物から選択される、請求項２７に記載のインクジェット記録可能基材。
【請求項３２】
前記シリカ質充填剤が、沈降シリカ、シリカゲルまたは湿潤シリカから選択される、請求項３１に記載のインクジェット記録可能基材。
【請求項３３】
前記コーティング組成物が、前記基材が１〜４０ミクロンのコーティング厚を有するように該基材に塗布される、請求項２１に記載のインクジェット記録可能基材。
【請求項３４】
少なくとも１層の実質的に非多孔性の材料への前記基材の結合をさらに備える、請求項２１に記載のインクジェット記録可能基材。
【請求項３５】
前記実質的に非多孔性の材料が、実質的に非多孔性の熱可塑性ポリマー、実質的に非多孔性の金属化熱可塑性ポリマー、実質的に非多孔性の熱硬化性ポリマー、実質的に非多孔性のエラストマー性物質、実質的に非多孔性の金属、およびそれらの混合物から選択される、請求項３４に記載のインクジェット記録可能基材。
【請求項３６】
少なくとも部分的にコーティングされた実質的に耐水性のインクジェット記録可能基材を調製する方法であって、該方法が、以下の工程：
ａ．少なくとも１つの側面を有するインクジェット記録可能基材を提供する工程；
ｂ．水性ポリウレタン分散物、カチオン窒素含有ポリマー性染料固定化合物の水溶液およびカチオンアクリルポリマーを含むコーティング組成物を提供する工程であって、該カチオン窒素含有ポリマー性染料固定化合物が、塩化ポリジメチルジアリルアンモニウムである、工程；ならびに
ｃ．該インクジェット記録可能基材の少なくとも１つの側面に、該コーティング組成物を少なくとも部分的に塗布する工程、
を包含する、方法。
【請求項３７】
前記ポリウレタン分散物が、水に分散可能なアニオンポリマー、カチオンポリウレタンおよび非イオンポリウレタンから選択される、請求項３６に記載の方法。
【請求項３８】
前記カチオンアクリルポリマーが、ポリアクリレート、ポリメタクリレート、ポリアクリロニトリルならびにアクリロニトリル、アクリル酸、アクリルアミドおよびそれらの混合物から選択されるモノマー型を有するポリマーから選択される、請求項３６に記載の方法。
【請求項３９】
前記組成物が、前記コーティング組成物の総重量に基づいて、２０〜７５重量％の前記水性ポリウレタン分散物、５〜７５重量％の前記カチオン窒素含有ポリマー性染料固定化合物、および１〜７５重量％の前記アクリルポリマーを含む、請求項３６に記載の方法。
【請求項４０】
前記基材が、セルロースベースの紙を含む、請求項３６に記載の方法。
【請求項４１】
前記基材が、微孔性の材料を含む、請求項３６に記載の方法。
【請求項４２】
前記基材が、ポリオレフィンを含むマトリクス；シリカ質充填剤；および多孔性構造物を含む、請求項３６に記載の方法。
【請求項４３】
前記基材が、該基材の体積の少なくとも３５％の多孔性を有する、請求項４２に記載の方法。
【請求項４４】
前記ポリオレフィンが、ポリエチレン、ポリプロピレンおよびそれらの混合物から選択される、請求項４２に記載の方法。
【請求項４５】
前記ポリエチレンが、少なくとも１０デシリットル／グラムの固有粘度を有する高分子量の直鎖状ポリエチレンを含み、前記ポリプロピレンが、少なくとも５デシリットル／グラムの固有粘度を有する高分子量の直鎖状ポリプロピレンを含む、請求項４４に記載の方法。
【請求項４６】
前記シリカ質充填剤が、シリカ、雲母、モンモリロナイト、カオリナイト、アスベスト、タルク、珪藻土、バーミキュライト、天然合成ゼオライト、セメント、珪酸カルシウム、珪酸アルミニウム、珪酸ナトリウムアルミニウム、ポリ珪酸アルミニウム、アルミナシリカゲル、ガラス粒子およびそれらの混合物から選択される、請求項４２に記載の方法。
【請求項４７】
前記シリカ質充填剤が、沈降シリカ、シリカゲルまたは湿潤シリカから選択される、請求項４６に記載の方法。
【請求項４８】
前記コーティング組成物が、前記基材が１〜４０ミクロンのコーティング厚を有するように該基材に塗布される、請求項３６に記載の方法。
【請求項４９】
前記基材を少なくとも１層の実質的に非多孔性の材料に結合させる工程をさらに包含する、請求項３６に記載の方法。
【請求項５０】
前記実質的に非多孔性の材料が、実質的に非多孔性の熱可塑性ポリマー、実質的に非多孔性の金属化熱可塑性ポリマー、実質的に非多孔性の熱硬化性ポリマー、実質的に非多孔性のエラストマー性物質、実質的に非多孔性の金属、およびそれらの混合物から選択される、請求項４９に記載の方法。
【請求項５１】
周囲温度〜３５０Ｆ°の温度を適用することで前記インクジェット記録可能基材を乾燥させる工程をさらに包含する、請求項３６に記載の方法。
【請求項５２】
コーティングされた微孔性の基材であって、該コーティングされた微孔性の基材が、以下：
ａ．上部表面および下部表面を有する微孔性の基材であって、以下：
（ｉ）ポリオレフィン；
（ｉｉ）シリカ質充填剤；
（ｉｉｉ）孔が、該微孔性の基材の体積の少なくとも３５％を構成するような、多孔性、
を含む、微孔性の基材；ならびに、
ｂ．該微孔性の基材の少なくとも１つの表面に少なくとも部分的に塗布されるコーティングであって、該コーティングが、以下：
（ｉ）アニオンポリウレタン、カチオンポリウレタン、非イオンポリウレタン、およびそれらの混合物から選択される少なくとも１つのポリウレタン；
（ｉｉ）塩化ポリジメチルジアリルアンモニウムである、窒素含有ポリマー性染料固定化合物；ならびに
（ｉｉｉ）カチオンアクリルポリマー、
を含む、コーティング、
を含む、コーティングされた微孔性の基材。
【請求項５３】
実質的に非多孔性の材料に少なくとも部分的に接続されているインクジェット記録可能基材を含む、多層化製品であって、該インクジェット記録可能基材が、実質的に耐水性のコーティング組成物によって少なくとも部分的にコーティングされている、多層化製品であって、該コーティング組成物が、以下：
ａ．水性ポリウレタン分散物；
ｂ．塩化ポリジメチルジアリルアンモニウムである、カチオン窒素含有ポリマー性染料固定化合物；および、
ｃ．カチオンアクリルポリマー
を含み、７以下のｐＨを有する、多層化製品。
【請求項５４】
摩擦軽減コーティング組成物をさらに含む請求項５３に記載の多層化製品であって、前記インクジェット記録可能基材および実質的に非多孔性の材料の少なくとも１つが、該摩擦軽減コーティング組成物によって少なくとも部分的にコーティングされる、多層化製品。
【請求項５５】
多層化製品を製造するための方法であって、該方法が、以下の工程：
ａ．頂部表面および底部表面を有するインクジェット記録可能基材を提供する工程；
ｂ．実質的に耐水性のコ−ティング組成物を提供する工程であって、該実質的に耐水性のコ−ティング組成物が、以下：
（ｉ）水性ポリウレタン分散物；
（ｉｉ）塩化ポリジメチルジアリルアンモニウムである、カチオン窒素含有ポリマー性染料固定材料；および
（ｉｉｉ）カチオンアクリルポリマー
の安定的な分散物を含む、工程；
ｃ．該インクジェット記録可能基材の少なくとも１つの表面に、該コーティング組成物を少なくとも部分的に塗布する工程；
ｄ．頂部表面および底部表面を有する実質的に非多孔性の材料に、（ｃ）の該インクジェット記録可能基材を少なくとも部分的に接続する工程；
ｅ．摩擦軽減コーティング組成物を提供する工程；ならびに、
ｆ．該インクジェット記録可能基材および該実質的に非多孔性の材料の少なくとも１つの少なくとも１つの表面に、該摩擦軽減コーティング組成物を少なくとも部分的に塗布する工程、
を包含する、方法。
【請求項５６】
実質的に耐水性のインクジェット記録可能基材コーティング組成物であって、該コーティング組成物が、以下：
ａ．水性ポリウレタン分散物；
ｂ．塩化ポリジメチルジアリルアンモニウムである、カチオン窒素含有ポリマー性染料固定化合物；および、
ｃ．カチオンアクリルポリマー
を含み、７以下のｐＨを有する、インクジェット記録可能基材コーティング組成物。